(57)【特許請求の範囲】
【請求項１】
液体が流通する一方の流路と他方の流路との間に、前記液体が流通可能に、介装され、前記流体に接触可能な部位が多孔質部材で形成された接続流路と、前記多孔質部材に消毒剤を浸入可能にする消毒剤供給手段とを備えてなることを特徴とする消毒滅菌流路接続体。
【請求項２】
前記多孔質部材が抗菌性を有して成ることを特徴とする請求項１に記載の消毒滅菌流路接続体。
【請求項３】
前記接続流路が、前記一方の流路と他方の流路との間に、接続部材を介して、介装されて成る前記請求項１又は２に記載の消毒滅菌流路接続体。
【請求項４】
前記消毒剤供給手段が、接続流路の外側面に消毒液が接するように消毒液を貯留する消毒剤室と、この消毒剤室に消毒剤を供給する消毒剤移送手段と、消毒剤移送手段に消毒剤を供給するために消毒剤を貯留する消毒剤貯留手段とを有して成る前記請求項１〜３のいずれか１項に記載の消毒滅菌流路接続体。
【請求項５】
前記流路が管体であり、前記接続流路が多孔質円筒体であり、前記消毒剤室が、多孔質円筒体を囲繞する外側円筒体と前記多孔質円筒体を前記管体に接続する接続部材とで形成されて成る前記請求項１に記載の消毒滅菌流路接続体。
【請求項６】
前記接続部材が、前記管体の端部に結合可能であり、前記多孔質円筒体の端部及び前記外側円筒体に結合可能に形成されて成る前記請求項５に記載の消毒滅菌流路接続体。
【発明の詳細な説明】
【０００１】
【発明の属する技術分野】
本発明は、消毒滅菌流路接続体に関し、さらに詳しくは、流路例えば二本の配管の間に介装され、一方の配管から他方の配管へと微生物が侵入し、繁殖するのを防止する消毒滅菌流路接続体に関する。
【０００２】
【従来の技術】
図２に示すように、排水槽２２に貯留された液体に配管の先端部が浸漬している場合には、滞留槽内で発生した藻類等の微生物２１は、貯留槽２２内の液体を伝って、排水管２０の内部にも繁殖していき、排水管２０を通じて、排水管２０の上流方向に微生物２１が浸入することがある。
【０００３】
このように、貯留槽内に貯留された液体に排水管の先端部が浸漬することにより、微生物が排水管を通じて他の場所に浸入して行き、各所を汚染してしまうのを防止するために、以下の方法が取られている。
【０００４】
第１の方法は、図３に示すようなＵ字管２４を用いたＵシールを設け、Ｕ字管２４内に溜めた排水２５により、微生物の汚染を防ぐ方法である。第２の方法は、図４に示すような排水管２０の排出口を排水槽２２の液面よりも高い位置に設けて、気層部２３を確保することにより、微生物の汚染を防ぐ方法である。
【０００５】
しかし、第１の方法において、微生物は、Ｕ字管を設けない場合に比べて、ゆっくりではあるが、排水２５が溜まったＵ字管２４内を遡って繁殖するので、微生物の汚染を完全に防ぐことはできず、特に液体を貯留する滞留槽におけるように、微生物が発生しやすい場所では微生物の汚染防止効果が小さい。また、第２の方法のように気層部２３を設けた場合、また、排水時にはねた排水が排水管２０に付着することがないように液面から排水管２０の排出口までの高さを充分に確保する必要がある等の設置上の制限があった。また、排水から臭いが生じる場合等は、臭いが漏れないように貯留槽を密閉する等の処置が必要であるから、このような臭いの発生する液体を貯留する貯留槽には気層部を設けることができなかった。
【０００６】
【発明が解決しようとする課題】
そこで、本発明の目的は、配管の設置スペースや液流方向や配管の設置角度等に左右されることなく、配管内が微生物により汚染されるのを確実に防止することのできる消毒滅菌流路接続体を提供することである。
【０００７】
【課題を解決するための手段】
上記課題を解決するための本発明の手段は、液体が流通する一方の流路と他方の流路との間に、前記液体が流通可能に、介装され、前記流体に接触可能な部位が多孔質部材で形成された接続流路と、前記多孔質部材に消毒剤を浸入可能にする消毒剤供給手段とを備えてなることを特徴とする消毒滅菌流路接続体である。
【０００８】
本発明の消毒滅菌流路接続体の好適な態様においては、前記多孔質部材が抗菌性を有して成り、
本発明の消毒滅菌流路接続体の好適な他の態様においては、前記接続流路が、前記一方の流路と他方の流路との間に、接続部材を介して、介装されて成り、
本発明の消毒滅菌流路接続体の好適なその他の態様においては、前記消毒剤供給手段が、接続流路の外側面に消毒液が接するように消毒液を貯留する消毒剤室と、この消毒剤室に消毒剤を供給する消毒剤移送手段と、消毒剤移送手段に消毒剤を供給するために消毒剤を貯留する消毒剤貯留手段とを有して成り、
本発明の消毒滅菌流路接続体の他の好適な態様においては、前記流路が管体であり、前記接続流路が多孔質円筒体であり、前記消毒剤室が、多孔質円筒体を囲繞する外側円筒体と前記多孔質円筒体を前記管体に接続する接続部材とで形成されて成り、
本発明の好適な態様では、前記接続部材が、前記管体の端部に結合可能であり、前記多孔質円筒体の端部及び前記外側円筒体に結合可能に形成されて成る。
【０００９】
【発明の実施の形態】
本発明の消毒滅菌流路接続体の一実施例を図１に示す。
消毒滅菌流路接続体１は、微細孔３を有する多孔質部材で円筒体状に形成された接続流路例えば多孔質円筒体２と、前記多孔質円筒体２を、流路である下部配管８と他の流路である上部配管９との間に介装させて保持する接続部材例えばフランジ部材４と、前記多孔質円筒体２の外周面から所定の間隔を有して位置する内周面を備え、前記多孔質円筒体２を囲繞するように配置された外側円筒体５と、前記外側円筒体５の内周面、前記多孔質円筒体２の外周面、及び上下のフランジ部材４により形成される消毒剤室６と、この消毒剤室６に消毒剤を供給し、前記多孔質円筒体２に消毒剤を浸潤させる消毒剤移送手段７とを備える。
【００１０】
前記フランジ部材４の立ちあがり部４ａは円筒形をしており、上部配管９及び下部配管８のそれぞれの端部を嵌合可能な内径を有する。前記立ちあがり部４ａに上部配管９及び下部配管８がそれぞれ嵌合され、適宜の結合手段によって結合される。この上下のフランジ部４の間に円筒状の多孔質円筒体２が介装される。そして、さらに多孔質円筒体２の外周面側に、円筒状の外側円筒体５が同心状に介装され、上下のフランジ部４と外側円筒体５とが結合手段によって液密に結合される。結合手段としては、接着剤、ボルトとナット等の液密に結合できる手段であれば良い。このとき、多孔質円筒体２の外周面と、円筒状の外側円筒体５と円盤状のフランジ部４との間には、消毒剤が収容できる環状の空間である消毒剤室６が形成される。
【００１１】
そして、前記消毒剤室６の上部に位置して天井部分を形成するフランジ部４の外側鍔部には開口が設けられる。その開口には、消毒剤移送手段７の一部を形成する例えば消毒剤移送パイプが接続される。この消毒剤移送パイプを通じて、図示しないポンプによって、消毒剤貯留手段である消毒剤貯留槽から、消毒剤が消毒剤室６内に送られる。消毒剤は多孔質円筒体２の微細孔３を通じて多孔質円筒体２の外周面から内周面へと浸潤し、多孔質円筒体２の内表面にある微細孔３から徐々に多孔質円筒体内に滲出する。なお、この例では、上述のように、消毒剤供給手段が、消毒剤室６、消毒剤移送手段例えば消毒剤移送パイプ及びポンプ、並びに消毒剤貯留手段例えば消毒剤貯留槽を含んで構成される。
【００１２】
液と接触する多孔質円筒体の内表面には消毒剤が存在するので、例えば下部配管８から上昇してきた藻等の微生物は、消毒滅菌流路接続体１で死滅し、上部配管９が、微生物により汚染されることはない。特に流れの緩やかな配管や間欠的に流れる配管において微生物の汚染防止効果が大きい。
【００１３】
以上、本発明の一例について説明したが、本発明は前記一例に限定されるものではなく、本発明の消毒滅菌流路接続体は、液体が流通する一方の流路と他方の流路との間に、前記液体が流通可能に介装され、前記液体に接触可能な部位が多孔質部材で形成された接続流路と、前記多孔質部材に消毒剤を浸入可能にする消毒剤供給手段とを備えてなる限り様々の変形を取り得る。
【００１４】
前記液体としては、微生物例えば藻類、菌類、細菌、ウイルスが発生する可能性のある液体を挙げることができ、例えば一般家庭、店舗等から排出される一般生活雑排水、工場等から排出される産業排水、病院、クリニック等の医療現場から排出される医療排水等の排水、微生物等の汚染を避ける必要のある液体例えば食品製造プラント及び医薬品製造プラントにおける原料液、中間製品液、最終製品液がある。したがって、本発明に係る消毒滅菌流路接続体は、微生物の浸入、繁殖を防止する必要の有る流路を有する様々の配管系に適用されることができる。
【００１５】
前記液体が流通する一方の流路及び他方の流路は、いずれの材料で形成されていてもよい。例えば、流路を形成する材料として、塩化ビニル等のプラスチック管、陶管、鉛管等の金属管、及びコンクリート管等が挙げられる。流路は、その大きさについても制限がない。この流路は、その形状についても制限がなく、断面円形等の管体であってもよく、また断面Ｕ字型の樋であってもよい。もっとも、この流路は微生物の繁殖を極力避ける必要が多いので、断面が閉鎖した形状で有ることが望ましい。
【００１６】
前記接続流路は、前記液体が流通可能であればいずれの断面形状をとってもよく、前記流路と同様の断面形状を有するのが望ましい。また、接続流路の断面形状が円形であるときには、前記接続流路の径と液体が流通する流路の径とが同じであるのが、望ましい。前記接続流路は、直管であっても、Ｌ字管等の曲管であってもよい。接続流路を曲管にすることにより、液体の流路の屈折部分に本発明の消毒滅菌流路接続体を介装させることが可能となる。
【００１７】
前記多孔質部材としては、例えば、海綿、中空糸膜、炭、合成樹脂製の発泡体、多孔性セラミックが挙げられる。消毒剤をその内部に浸透させることができ、前記液体と接触する面に設けられた微細孔（以下表面微細孔という）から消毒剤が滲出する構造を有するのであれば、この多孔質部材としてはいずれの材料で形成することもできる。多孔質部材を形成するための材料としては、中でも、前記表面微細孔から消毒剤がゆっくりと滲出する点から、多孔性セラミック、発泡性プラスチック等が好ましい。尚、多孔質部材の微細孔径は、接続流路の外部から接続流路の内表面へと消毒剤が緩慢に浸潤することができるような孔径であればよい。また多孔質部材は、表面微細孔から断面方向に向かって微細孔径が徐々に大きくなる傾斜構造を有していても良い。傾斜構造とすることにより、より内部に消毒剤が浸透しやすくなり、表面微細孔から滲出する消毒剤量を少なくすることができる。
【００１８】
このように消毒剤が表面微細孔から滲出されることにより、微生物が接続流路部分で死滅するので、一方の流路から他方の流路へと微生物の侵襲を、接続流路で食い止めることができる。
【００１９】
また、前記接続流路は、その内部を流通する液体が少なくとも接触する部位を多孔質抗菌部材で形成することが好ましい。前記接続流路を多孔質抗菌部材で形成するには、前記接続流路を形成する多孔質部材自体を抗菌性素材で形成する方法の他、多孔質部材を抗菌加工する方法が挙げられる。抗菌性素材としては、例えば酸化チタン、金、銀、銅、バナジウム等が挙げられる。抗菌加工する方法としては、前記抗菌性素材例えば酸化チタン、金、銀、銅、バナジウム等をその表面に塗布、蒸着、メッキ等をすることが挙げられる。接続流路を多孔質抗菌部材で形成することにより、微生物の汚染がさらに生じにくくなる。
【００２０】
この接続流路は、それ全体が多孔質部材で形成されている必要はなく、少なくとも液体が接する部位が多孔質部材で形成され、消毒剤供給手段から供給される消毒剤がこの多孔質部材に浸潤することができる構造であれば良い。例えば、接続流路の変形例として、液体が流通する一方の流路と他方の流路との間に介装された支持体と、この支持体の液体流通側であって、前記液体に接触可能な部位に配置された多孔質部材とを備え、前記支持体は、外側から内側の多孔質部材へと消毒剤を流通可能にする流通路を備えて成る構成を挙げることができる。この構成において、前記支持体は、枠体であっても、網体であっても、格子体であっても良い。また、接続流路の他の変形例として、例えば、液体が流通する一方の流路と他方の流路との間に介装された筒状体であって、この筒状体は外表面から内表面へと貫通する複数の貫通孔を備え、その貫通孔に多孔質部材が充填されて成る構成を挙げることができる。
【００２１】
本発明においては、前記一対の流路がそれぞれ管体であるとき、前記接続流路も多孔質円筒体であるのが好ましく、この場合、多孔質円筒体を管体に接続するために接続部材が採用される。
【００２２】
この接続部材として、例えば、フランジ部材が挙げられる。この接続部材も、上記抗菌性を備えることが好ましい。前記接続部材にも抗菌性を持たせることにより、より微生物の汚染が生じにくくなる。
【００２３】
前記消毒剤は、微生物を消毒し、微生物が流路内で繁殖するのを防止できるものであれば、いずれの消毒剤も使用することができる。
【００２４】
消毒剤としては、例えば、次亜塩素酸、次亜塩素酸ソーダ、次亜塩素酸カルシウム、次亜塩素酸ソーダと硼酸との混合液、モノクロロアミン、クロラミンＴ、ジクロラアミンＴ、ハラゾン、クロロアゾジン及びトリクロロシアノ尿酸等の塩素系消毒剤、過酸化水素、過マンガン酸カリ、及び過酢酸等の酸化剤系消毒剤、ホルマリン、及びグルタルアルデヒド等のアルデヒド系消毒剤、エタノール、イソプロパノ−ル、フェネチルアルコール、及びエチレングリコール等のアルコール系消毒剤、フェノール、クレゾール、チモール、ヘキシルレゾルシノール、ｐ−ヒドロキシ安息香酸エステル、ペンタクロロフェノール、フェンチクロル、ヘキサクロロフェン、サリチルアニライド、及びテトラクロロサリチルアニライド等のフェノール系消毒剤並びにヨードチンキ、及びヨードホルム等のヨード系消毒剤が挙げられる。中でも藻類等の配管中に繁殖する微生物に対する殺菌性を考慮すると、塩素系消毒剤が好ましい。
【００２５】
【発明の効果】
本発明の消毒滅菌流路接続体は、気層部を必要としないので、配管の設置スペースや液流方向や流路の設置角度等、流路内の微生物の汚染を確実に防止することができる。
【００２６】
本発明の消毒滅菌流路接続体は、その多孔質部材が抗菌性を有していると、更に殺菌消毒効果が高まり、流路内への微生物の浸入汚染を更に一層防止することができる。
【００２７】
本発明の消毒滅菌流路接続体は、その消毒剤供給手段が、消毒剤室、消毒剤移送手段及び消毒剤貯留手段を備えていると、消毒剤を周辺にまき散らすことなく消毒剤を多孔質部材に供給することができ、装置回りを汚すことがない。
【００２８】
本発明の消毒滅菌流路接続体は、消毒剤室が外側円筒体と接続部材とで形成されていると、装置の構造がコンパクトになる。
【図面の簡単な説明】
【図１】図１は、本発明の一実施例の断面図である。
【図２】図２は、従来の排水流路の断面図である。
【図３】図３は、従来のＵシールを用いた流路の断面図である。
【図４】図４は、従来の気層部を設けた流路の断面図である。
【符号の説明】
１  消毒滅菌流路接続体、２  多孔質円筒体、３  微細孔、４  フランジ部、４ａ  立ちあがり部、５  外側円筒体、６  消毒剤室、７  消毒剤移送手段、８下部配管、９  上部配管、２０  排水管、２１  微生物、２２  排水槽、２３気層部、２４  Ｕ字管、２５  排水
【図１】
0003629200.tif 000002
【図２】
0003629200.tif 000003
【図３】
0003629200.tif 000004
【図４】
0003629200.tif 000005